(57)【要約】【課題】１枚のシート状ブランクにより形成されたチューブ容器支持具で、チューブ容器が傾いて倒れようとした場合でも、チューブ容器が倒れる頻度を小さくすることができるチューブ容器支持具を提供する。【解決手段】チューブ容器支持具５は、底部１０と、底部１０から連設された傾斜板部２０、３０と、傾斜板部２０から連設され傾斜板部２０に対して折り返されて接着された接着板部４０と、傾斜板部３０から連設され傾斜板部３０に対して折り返されて接着された接着板部と、接着板部４０から連設され底部１０に係止して立設する脚部６０と、傾斜板部３０に接着された接着板部から連設され底部１０に係止して立設する脚部とを有し、傾斜板部２０にはチューブ容器のキャップを嵌合させる切欠部３２−１等が形成され、傾斜板部３０にはチューブ容器のキャップを嵌合させる切欠部２２−１等が形成されている。【選択図】図１
0003179163.tif 000002
【実用新案登録請求の範囲】
【請求項１】
チューブ容器を支持するチューブ容器支持具であって、
複数のチューブ容器の配設方向である左右方向に帯状に形成された底部本体部と、底部本体部の正面側に突出して形成され左右方向に間隔を介して形成された複数の正面側突状部からなる正面側突状部群で、隣接し合う正面側突状部における対向する辺部に溝部が形成され、対向する一対の溝部により係止部が形成された正面側突状部群と、底部本体部の背面側に突出して形成され左右方向に間隔を介して形成された複数の背面側突状部からなり、底部本体部における左右方向に伸びた仮想中心線を介して正面側突状部群と対称に形成された背面側突状部群で、隣接し合う背面側突状部における対向する辺部に溝部が形成され、対向する一対の溝部により係止部が形成された背面側突状部群とを有する板状の底部と、
底面本体部における正面側の辺部から連設された板状の正面側傾斜板部で、チューブ容器支持具の折畳み状態で正面側突状部が配置される切欠部が底部本体部側に正面側突状部ごとに設けられ、チューブ容器支持具の組立て状態では、その上端が下端よりも正面側となるように傾斜して設けられる正面側傾斜板部と、
底面本体部における背面側の辺部から連設された板状の背面側傾斜板部で、チューブ容器支持具の折畳み状態で背面側突状部が配置される切欠部が底部本体部側に背面側突状部ごとに設けられ、チューブ容器支持具の組立て状態では、その上端が下端よりも背面側となるように傾斜して設けられる背面側傾斜板部と、
正面側傾斜板部の底部本体部とは反対側の辺部で該仮想中心線に対して平行な辺部である第１辺部から折れ線を介して連設された正面側接着板部で、正面側傾斜板部に対して外側に折り返されて正面側傾斜板部に接着された正面側接着板部と、
背面側傾斜板部の底部本体部とは反対側の辺部で該仮想中心線に対して平行な辺部である第２辺部から折れ線を介して連設された背面側接着板部で、背面側傾斜板部に対して外側に折り返されて背面側傾斜板部に接着された背面側接着板部と、
正面側接着板部の正面側傾斜板部とは反対側の辺部で第１辺部と平行な辺部である第３辺部から折れ線を介して連設された正面側脚部で、チューブ容器支持具の組立て状態において正面側突状部群における係止部に係止するための突部を接着板部とは反対側の辺部に有する正面側脚部と、
背面側接着板部の背面側傾斜板部とは反対側の辺部で第２辺部と平行な辺部である第４辺部から折れ線を介して連設された背面側脚部で、チューブ容器支持具の組立て状態において背面側突状部群における係止部に係止するための突部を接着板部とは反対側の辺部に有する背面側脚部と、
を有し、
チューブ容器支持具が１枚のシート状のブランクにより形成され、
チューブ容器支持具の折畳み状態では、底部と正面側傾斜板部と背面側傾斜板部とにより１つの平板状を呈するとともに、
正面側傾斜板部と背面側傾斜板部を底部に対して立設した状態で、正面側脚部における突部を正面側突状部群の係止部に係止させるとともに、背面側脚部における突部を背面側突状部群の係止部に係止させることにより、チューブ容器支持具が組立て状態となり、チューブ容器のキャップを下側として、正面側傾斜板部における切欠部と背面側傾斜板部における該切欠部に対応する切欠部からなる一対の切欠部に該キャップが嵌合してチューブ容器が支持されることを特徴とするチューブ容器支持具。
【請求項２】
正面側傾斜板部の各切欠部から第１辺部に向けて形成された一対の切込みで該切欠部から形成されたテーパ状部で第１辺部に近づくに従い間隔が小さくなるテーパ状部を有する一対の切込みと該一対の切込みの第１辺部側の端部間の折れ線により区画された正面側フラップ部が形成され、背面側傾斜板部の各切欠部から第２辺部に向けて形成された一対の切込みで該切欠部から形成されたテーパ状部で第２辺部に近づくに従い間隔が小さくなるテーパ状部を有する一対の切込みと該一対の切込みの第２辺部側の端部間の折れ線により区画された背面側フラップ部が形成され、チューブ容器を上記一対の切欠部に嵌合させてチューブ容器を支持した状態では、チューブ容器の側面に押されることにより、正面側フラップ部と背面側フラップ部が外側に回動した状態となり、正面側傾斜板部の一対の切込みに沿った辺部と背面側傾斜板部の一対の切込みに沿った辺部がチューブ容器に接することを特徴とする請求項１に記載のチューブ容器支持具。
【請求項３】
底部本体部における左右方向と直角な方向である前後方向の幅が、左右方向の端部から内側に行くほど広く形成されていることを特徴とする請求項１又は２に記載のチューブ容器支持具。
【請求項４】
チューブ容器支持具の折畳み状態において、正面側突状部群と正面側傾斜板部とが切込みを介して区画され、背面側突状部群と背面側傾斜板部とが切込みを介して区画されていることを特徴とする請求項１又は２又は３に記載のチューブ容器支持具。
【請求項５】
チューブ容器を支持するチューブ容器支持具であって、
複数のチューブ容器の配設方向である左右方向に帯状に形成された底部本体部と、底部本体部の正面側に突出して形成され左右方向に間隔を介して形成された複数の正面側突状部からなる正面側突状部群で、隣接し合う正面側突状部における対向する辺部に溝部が形成され、対向する一対の溝部により係止部が形成された正面側突状部群と、底部本体部の背面側に突出して形成され左右方向に間隔を介して形成された複数の背面側突状部からなり、底部本体部における左右方向に伸びた仮想中心線を介して正面側突状部群と対称に形成された背面側突状部群で、隣接し合う背面側突状部における対向する辺部に溝部が形成され、対向する一対の溝部により係止部が形成された背面側突状部群とを有する板状の底部と、
底面本体部における正面側の辺部から連設された板状の正面側傾斜板部で、チューブ容器支持具の折畳み状態で正面側突状部が配置される切欠部が底部本体部側に正面側突状部ごとに設けられ、チューブ容器支持具の折畳み状態では正面側突状部群と切込みを介して区画され、チューブ容器支持具の組立て状態では、その上端が下端よりも正面側となるように傾斜して設けられる正面側傾斜板部と、
底面本体部における背面側の辺部から連設された板状の背面側傾斜板部で、チューブ容器支持具の折畳み状態で背面側突状部が配置される切欠部が底部本体部側に背面側突状部ごとに設けられ、チューブ容器支持具の折畳み状態では背面側突状部群と切込みを介して区画され、チューブ容器支持具の組立て状態では、その上端が下端よりも背面側となるように傾斜して設けられる背面側傾斜板部と、
正面側傾斜板部の底部本体部とは反対側の辺部で該仮想中心線に対して平行な辺部である第１辺部から折れ線を介して連設された正面側接着板部で、正面側傾斜板部に対して外側に折り返されて正面側傾斜板部に接着された正面側接着板部と、
背面側傾斜板部の底部本体部とは反対側の辺部で該仮想中心線に対して平行な辺部である第２辺部から折れ線を介して連設された背面側接着板部で、背面側傾斜板部に対して外側に折り返されて背面側傾斜板部に接着された背面側接着板部と、
正面側接着板部の正面側傾斜板部とは反対側の辺部で第１辺部と平行な辺部である第３辺部から折れ線を介して連設された正面側脚部で、チューブ容器支持具の組立て状態において正面側突状部群における係止部に係止するための突部を接着板部とは反対側の辺部に有する正面側脚部と、
背面側接着板部の背面側傾斜板部とは反対側の辺部で第２辺部と平行な辺部である第４辺部から折れ線を介して連設された背面側脚部で、チューブ容器支持具の組立て状態において背面側突状部群における係止部に係止するための突部を接着板部とは反対側の辺部に有する背面側脚部と、
を有し、
チューブ容器支持具が１枚のシート状のブランクにより形成され、
正面側傾斜板部の各切欠部から第１辺部に向けて形成された一対の切込みで該切欠部から形成されたテーパ状部で第１辺部に近づくに従い間隔が小さくなるテーパ状部を有する一対の切込みと該一対の切込みの第１辺部側の端部間の折れ線により区画された正面側フラップ部が形成され、背面側傾斜板部の各切欠部から第２辺部に向けて形成された一対の切込みで該切欠部から形成されたテーパ状部で第２辺部に近づくに従い間隔が小さくなるテーパ状部を有する一対の切込みと該一対の切込みの第２辺部側の端部間の折れ線により区画された背面側フラップ部が形成され、
底部本体部における左右方向と直角な方向である前後方向の幅が、左右方向の端部から内側に行くほど広く形成され、
チューブ容器支持具の折畳み状態では、底部と正面側傾斜板部と背面側傾斜板部とにより１つの平板状を呈するとともに、
正面側傾斜板部と背面側傾斜板部を底部に対して立設した状態で、正面側脚部における突部を正面側突状部群の係止部に係止させるとともに、背面側脚部における突部を背面側突状部群の係止部に係止させることにより、チューブ容器支持具が組立て状態となり、チューブ容器のキャップを下側として、正面側傾斜板部における切欠部と背面側傾斜板部における該切欠部に対応する切欠部からなる一対の切欠部に該キャップが嵌合するとともに、チューブ容器の側面に押されることにより、正面側フラップ部と背面側フラップ部が外側に回動した状態となり、正面側傾斜板部の一対の切込みに沿った辺部と背面側傾斜板部の一対の切込みに沿った辺部がチューブ容器に接することを特徴とするチューブ容器支持具。
【請求項６】
チューブ容器を支持するとともに包装するためのチューブ容器支持包装具であって、
請求項１又は２又は３又は４又は５に記載のチューブ容器支持具と、
チューブ容器を支持した状態の該チューブ容器支持具を収納する包装箱で、
略方形状の外形を有する底面部と、底面部の各辺から立設し底面部に対して略直角をなすスリーブ状部で、正面部と、右側面部と、左側面部と、背面部とからなるスリーブ状部と、背面部の上辺から連設された上面部と、を有し、
正面部には正面部の上端から下端にまで形成された一対の破断線で、一方の破断線の下端位置が正面部と右側面部の境界の下端であり、他方の破断線の下端位置が正面部と左側面部の境界の下端である包装箱と、を有し、
チューブ容器を支持した状態のチューブ容器支持具を包装箱に収納した状態で、正面部の一対の破断線を破断することにより、正面部における一対の破断線で挟まれた領域を底面部に対して正面側に回動させ、一方の破断線と右側面部間の領域を右側面部に対して正面側に回動させ、他方の破断線と左側面部間の領域を左側面部に対して正面側に回動させることにより、チューブ容器を支持した状態のチューブ容器支持具を包装箱の正面側から引き出して取出し可能であることを特徴とするチューブ容器支持包装具。
【請求項７】
底面部は、左側面部の下辺から連設された第１片部と、正面部の下辺から連設された第２片部と、背面部の下辺から連設された第３片部と、右側面部の下辺から連設された第４片部とにより形成され、スリーブ状部における隣接する各部を互いに直角にすることにより底面部が略方形状の外形を有することを特徴とする請求項６に記載のチューブ容器支持包装具。
【考案の詳細な説明】
【技術分野】
【０００１】
本考案は、チューブ容器の支持具に関するものであり、特に、１枚のシート状のブランクにより形成された支持具に関するものである。
【背景技術】
【０００２】
従来より、チューブ容器の支持具として、特許文献１に示す台が存在する。すなわち、特許文献１の台は、基体と、基体から隆起し左右に伸びる中空の保持部とを備え、保持部の天板部には、複数の開口部が設けられ、保持部の側壁部には、開口部に連続して開口する延設開口部が設けられている。この延設開口部の左右の縁には、左右に伸びるフラップが設けられている。また、各開口部は、各物品の一端を収容し、物品の該端部の断面よりも面積が小さく形成されており、物品の一部分が、延設開口部から外部へはみ出し、はみ出し部分をフラップが押さえる構成となっている。
【先行技術文献】
【特許文献】
【０００３】
【特許文献１】特開２００８−１７９３６９号公報
【考案の概要】
【考案が解決しようとする課題】
【０００４】
しかし、特許文献１の台においては、チューブ容器をキャップを下側にして支持した場合に、開口部への収容度合いが十分でない等によりチューブ容器が傾いてしまった場合には、そのままチューブ容器が倒れてしまうという問題があった。特に、特許文献１の台においては、チューブ容器が倒れようとした場合に、倒れる方向に他のチューブ容器がある場合には、該他のチューブ容器に寄りかかることにより倒れるのを結果的に防ぐことができる場合もあるが、他のチューブが倒れる方向にない場合にはそのままチューブ容器が倒れてしまう。つまり、特許文献１の図７のように、チューブ容器を１つのみ支持した状態では、チューブ容器が傾いてしまった場合には、いずれの方向でも倒れてしまうという問題があった。
【０００５】
そこで、本考案は、１枚のシート状ブランクにより形成されたチューブ容器支持具で、チューブ容器が傾いて倒れようとした場合でも、チューブ容器が倒れる頻度を小さくすることができるチューブ容器支持具を提供することを目的とするものである。
【課題を解決するための手段】
【０００６】
本考案は上記問題点を解決するために創作されたものであって、第１には、チューブ容器を支持するチューブ容器支持具であって、複数のチューブ容器の配設方向である左右方向に帯状に形成された底部本体部と、底部本体部の正面側に突出して形成され左右方向に間隔を介して形成された複数の正面側突状部からなる正面側突状部群で、隣接し合う正面側突状部における対向する辺部に溝部が形成され、対向する一対の溝部により係止部が形成された正面側突状部群と、底部本体部の背面側に突出して形成され左右方向に間隔を介して形成された複数の背面側突状部からなり、底部本体部における左右方向に伸びた仮想中心線を介して正面側突状部群と対称に形成された背面側突状部群で、隣接し合う背面側突状部における対向する辺部に溝部が形成され、対向する一対の溝部により係止部が形成された背面側突状部群とを有する板状の底部と、底面本体部における正面側の辺部から連設された板状の正面側傾斜板部で、チューブ容器支持具の折畳み状態で正面側突状部が配置される切欠部が底部本体部側に正面側突状部ごとに設けられ、チューブ容器支持具の組立て状態では、その上端が下端よりも正面側となるように傾斜して設けられる正面側傾斜板部と、底面本体部における背面側の辺部から連設された板状の背面側傾斜板部で、チューブ容器支持具の折畳み状態で背面側突状部が配置される切欠部が底部本体部側に背面側突状部ごとに設けられ、チューブ容器支持具の組立て状態では、その上端が下端よりも背面側となるように傾斜して設けられる背面側傾斜板部と、正面側傾斜板部の底部本体部とは反対側の辺部で該仮想中心線に対して平行な辺部である第１辺部から折れ線を介して連設された正面側接着板部で、正面側傾斜板部に対して外側に折り返されて正面側傾斜板部に接着された正面側接着板部と、背面側傾斜板部の底部本体部とは反対側の辺部で該仮想中心線に対して平行な辺部である第２辺部から折れ線を介して連設された背面側接着板部で、背面側傾斜板部に対して外側に折り返されて背面側傾斜板部に接着された背面側接着板部と、正面側接着板部の正面側傾斜板部とは反対側の辺部で第１辺部と平行な辺部である第３辺部から折れ線を介して連設された正面側脚部で、チューブ容器支持具の組立て状態において正面側突状部群における係止部に係止するための突部を接着板部とは反対側の辺部に有する正面側脚部と、背面側接着板部の背面側傾斜板部とは反対側の辺部で第２辺部と平行な辺部である第４辺部から折れ線を介して連設された背面側脚部で、チューブ容器支持具の組立て状態において背面側突状部群における係止部に係止するための突部を接着板部とは反対側の辺部に有する背面側脚部と、を有し、チューブ容器支持具が１枚のシート状のブランクにより形成され、チューブ容器支持具の折畳み状態では、底部と正面側傾斜板部と背面側傾斜板部とにより１つの平板状を呈するとともに、正面側傾斜板部と背面側傾斜板部を底部に対して立設した状態で、正面側脚部における突部を正面側突状部群の係止部に係止させるとともに、背面側脚部における突部を背面側突状部群の係止部に係止させることにより、チューブ容器支持具が組立て状態となり、チューブ容器のキャップを下側として、正面側傾斜板部における切欠部と背面側傾斜板部における該切欠部に対応する切欠部からなる一対の切欠部に該キャップが嵌合してチューブ容器が支持されることを特徴とする。
【０００７】
第１の構成のチューブ容器支持具においては、キャップが一対の切欠部に嵌合するので、チューブ容器は容易には倒れることがないが、チューブ容器やチューブ容器支持具に外力が加わる等により、チューブ容器が倒れようとした場合でも、正面側傾斜板部と背面側傾斜板部が上方に立設し、特に、切欠部よりも上方に伸びているので、傾斜板部によりチューブ容器が支持されるので、チューブ容器が倒れる頻度を少なくすることができる。つまり、チューブ容器が傾斜板部や傾斜板部の方向に倒れようとする場合には、傾斜板部や傾斜板部に支えられてチューブ容器が倒れるのを防止することができる。
【０００８】
また、第２には、上記第１の構成において、正面側傾斜板部の各切欠部から第１辺部に向けて形成された一対の切込みで該切欠部から形成されたテーパ状部で第１辺部に近づくに従い間隔が小さくなるテーパ状部を有する一対の切込みと該一対の切込みの第１辺部側の端部間の折れ線により区画された正面側フラップ部が形成され、背面側傾斜板部の各切欠部から第２辺部に向けて形成された一対の切込みで該切欠部から形成されたテーパ状部で第２辺部に近づくに従い間隔が小さくなるテーパ状部を有する一対の切込みと該一対の切込みの第２辺部側の端部間の折れ線により区画された背面側フラップ部が形成され、チューブ容器を上記一対の切欠部に嵌合させてチューブ容器を支持した状態では、チューブ容器の側面に押されることにより、正面側フラップ部と背面側フラップ部が外側に回動した状態となり、正面側傾斜板部の一対の切込みに沿った辺部と背面側傾斜板部の一対の切込みに沿った辺部がチューブ容器に接することを特徴とする請求項１に記載のチューブ容器支持具。
【０００９】
よって、チューブ容器を一対の切欠部に支持させた状態では、チューブ容器に押されて正面側フラップ部と背面側フラップ部が外側に回動した状態となり、正面側フラップ部と、背面側フラップ部と、正面側傾斜板部及び背面側傾斜板部における一対の切込みに沿った辺部がチューブ容器に接してチューブ容器を支持するので、チューブ容器が容易に倒れないようにすることができる。
【００１０】
また、第３には、上記第１又は第２の構成において、底部本体部における左右方向と直角な方向である前後方向の幅が、左右方向の端部から内側に行くほど広く形成されていることを特徴とする。
【００１１】
よって、正面側傾斜板部の切欠部と背面側傾斜板部の切欠部における互いに対向する一対の切欠部において、外側（左右方向における端部側）に位置するほど一対の切欠部間の間隔が短くなるので、その分、チューブ容器のキャップとの嵌合力が強くなり、端部位置のチューブ容器のみとなった場合に、チューブ容器の重みによりチューブ容器支持具が傾いてしまった場合でも、チューブ容器のキャップが一対の切欠部に強く嵌合されているので、チューブ容器がチューブ容器支持部から外れて倒れるのを防止することができる。
【００１２】
また、第４には、前記第１から第３までのいずれかの構成において、チューブ容器支持具の折畳み状態において、正面側突状部群と正面側傾斜板部とが切込みを介して区画され、背面側突状部群と背面側傾斜板部とが切込みを介して区画されていることを特徴とする。
【００１３】
また、第５には、チューブ容器を支持するチューブ容器支持具であって、複数のチューブ容器の配設方向である左右方向に帯状に形成された底部本体部と、底部本体部の正面側に突出して形成され左右方向に間隔を介して形成された複数の正面側突状部からなる正面側突状部群で、隣接し合う正面側突状部における対向する辺部に溝部が形成され、対向する一対の溝部により係止部が形成された正面側突状部群と、底部本体部の背面側に突出して形成され左右方向に間隔を介して形成された複数の背面側突状部からなり、底部本体部における左右方向に伸びた仮想中心線を介して正面側突状部群と対称に形成された背面側突状部群で、隣接し合う背面側突状部における対向する辺部に溝部が形成され、対向する一対の溝部により係止部が形成された背面側突状部群とを有する板状の底部と、底面本体部における正面側の辺部から連設された板状の正面側傾斜板部で、チューブ容器支持具の折畳み状態で正面側突状部が配置される切欠部が底部本体部側に正面側突状部ごとに設けられ、チューブ容器支持具の折畳み状態では正面側突状部群と切込みを介して区画され、チューブ容器支持具の組立て状態では、その上端が下端よりも正面側となるように傾斜して設けられる正面側傾斜板部と、底面本体部における背面側の辺部から連設された板状の背面側傾斜板部で、チューブ容器支持具の折畳み状態で背面側突状部が配置される切欠部が底部本体部側に背面側突状部ごとに設けられ、チューブ容器支持具の折畳み状態では背面側突状部群と切込みを介して区画され、チューブ容器支持具の組立て状態では、その上端が下端よりも背面側となるように傾斜して設けられる背面側傾斜板部と、正面側傾斜板部の底部本体部とは反対側の辺部で該仮想中心線に対して平行な辺部である第１辺部から折れ線を介して連設された正面側接着板部で、正面側傾斜板部に対して外側に折り返されて正面側傾斜板部に接着された正面側接着板部と、背面側傾斜板部の底部本体部とは反対側の辺部で該仮想中心線に対して平行な辺部である第２辺部から折れ線を介して連設された背面側接着板部で、背面側傾斜板部に対して外側に折り返されて背面側傾斜板部に接着された背面側接着板部と、正面側接着板部の正面側傾斜板部とは反対側の辺部で第１辺部と平行な辺部である第３辺部から折れ線を介して連設された正面側脚部で、チューブ容器支持具の組立て状態において正面側突状部群における係止部に係止するための突部を接着板部とは反対側の辺部に有する正面側脚部と、背面側接着板部の背面側傾斜板部とは反対側の辺部で第２辺部と平行な辺部である第４辺部から折れ線を介して連設された背面側脚部で、チューブ容器支持具の組立て状態において背面側突状部群における係止部に係止するための突部を接着板部とは反対側の辺部に有する背面側脚部と、を有し、チューブ容器支持具が１枚のシート状のブランクにより形成され、正面側傾斜板部の各切欠部から第１辺部に向けて形成された一対の切込みで該切欠部から形成されたテーパ状部で第１辺部に近づくに従い間隔が小さくなるテーパ状部を有する一対の切込みと該一対の切込みの第１辺部側の端部間の折れ線により区画された正面側フラップ部が形成され、背面側傾斜板部の各切欠部から第２辺部に向けて形成された一対の切込みで該切欠部から形成されたテーパ状部で第２辺部に近づくに従い間隔が小さくなるテーパ状部を有する一対の切込みと該一対の切込みの第２辺部側の端部間の折れ線により区画された背面側フラップ部が形成され、底部本体部における左右方向と直角な方向である前後方向の幅が、左右方向の端部から内側に行くほど広く形成され、チューブ容器支持具の折畳み状態では、底部と正面側傾斜板部と背面側傾斜板部とにより１つの平板状を呈するとともに、正面側傾斜板部と背面側傾斜板部を底部に対して立設した状態で、正面側脚部における突部を正面側突状部群の係止部に係止させるとともに、背面側脚部における突部を背面側突状部群の係止部に係止させることにより、チューブ容器支持具が組立て状態となり、チューブ容器のキャップを下側として、正面側傾斜板部における切欠部と背面側傾斜板部における該切欠部に対応する切欠部からなる一対の切欠部に該キャップが嵌合するとともに、チューブ容器の側面に押されることにより、正面側フラップ部と背面側フラップ部が外側に回動した状態となり、正面側傾斜板部の一対の切込みに沿った辺部と背面側傾斜板部の一対の切込みに沿った辺部がチューブ容器に接することを特徴とする。
【００１４】
第５の構成のチューブ容器支持具においては、キャップが一対の切欠部に嵌合するので、チューブ容器は容易には倒れることがないが、チューブ容器やチューブ容器支持具に外力が加わる等により、チューブ容器が倒れようとした場合でも、正面側傾斜板部と背面側傾斜板部が上方に立設し、特に、切欠部よりも上方に伸びているので、傾斜板部によりチューブ容器が支持されるので、チューブ容器が倒れる頻度を少なくすることができる。つまり、チューブ容器が傾斜板部や傾斜板部の方向に倒れようとする場合には、傾斜板部や傾斜板部に支えられてチューブ容器が倒れるのを防止することができる。
【００１５】
また、チューブ容器を一対の切欠部に支持させた状態では、チューブ容器に押されて正面側フラップ部と背面側フラップ部が外側に回動した状態となり、正面側フラップ部と、背面側フラップ部と、正面側傾斜板部及び背面側傾斜板部における一対の切込みに沿った辺部がチューブ容器に接してチューブ容器を支持するので、チューブ容器が容易に倒れないようにすることができる。
【００１６】
また、正面側傾斜板部の切欠部と背面側傾斜板部の切欠部における互いに対向する一対の切欠部において、外側（左右方向における端部側）に位置するほど一対の切欠部間の間隔が短くなるので、その分、チューブ容器のキャップとの嵌合力が強くなり、端部位置のチューブ容器のみとなった場合に、チューブ容器の重みによりチューブ容器支持具が傾いてしまった場合でも、チューブ容器のキャップが一対の切欠部に強く嵌合されているので、チューブ容器がチューブ容器支持部から外れて倒れるのを防止することができる。
【００１７】
また、第６には、チューブ容器を支持するとともに包装するためのチューブ容器支持包装具であって、上記第１又は２又は３又は４又は５の構成のチューブ容器支持具と、チューブ容器を支持した状態の該チューブ容器支持具を収納する包装箱で、略方形状の外形を有する底面部と、底面部の各辺から立設し底面部に対して略直角をなすスリーブ状部で、正面部と、右側面部と、左側面部と、背面部とからなるスリーブ状部と、背面部の上辺から連設された上面部と、を有し、正面部には正面部の上端から下端にまで形成された一対の破断線で、一方の破断線の下端位置が正面部と右側面部の境界の下端であり、他方の破断線の下端位置が正面部と左側面部の境界の下端である包装箱と、を有し、チューブ容器を支持した状態のチューブ容器支持具を包装箱に収納した状態で、正面部の一対の破断線を破断することにより、正面部における一対の破断線で挟まれた領域を底面部に対して正面側に回動させ、一方の破断線と右側面部間の領域を右側面部に対して正面側に回動させ、他方の破断線と左側面部間の領域を左側面部に対して正面側に回動させることにより、チューブ容器を支持した状態のチューブ容器支持具を包装箱の正面側から引き出して取出し可能であることを特徴とする。
【００１８】
よって、一対の破断線を破断して、３つの領域を正面側に回動させるのみで、容易にチューブ容器を支持したチューブ容器支持具を引き出すことができる。
【００１９】
また、第７には、上記第６の構成において、底面部は、左側面部の下辺から連設された第１片部と、正面部の下辺から連設された第２片部と、背面部の下辺から連設された第３片部と、右側面部の下辺から連設された第４片部とにより形成され、スリーブ状部における隣接する各部を互いに直角にすることにより底面部が略方形状の外形を有することを特徴とする。
【考案の効果】
【００２０】
本考案に基づくチューブ容器支持具によれば、キャップが一対の切欠部に嵌合するので、チューブ容器は容易には倒れることがないが、チューブ容器やチューブ容器支持具に外力が加わる等により、チューブ容器が倒れようとした場合でも、正面側傾斜板部と背面側傾斜板部が上方に立設し、特に、切欠部よりも上方に伸びているので、傾斜板部によりチューブ容器が支持されるので、チューブ容器が倒れる頻度を少なくすることができる。つまり、チューブ容器が傾斜板部や傾斜板部の方向に倒れようとする場合には、傾斜板部や傾斜板部に支えられてチューブ容器が倒れるのを防止することができる。
【図面の簡単な説明】
【００２１】
【図１】チューブ容器支持具の上方斜視図である。
【図２】チューブ容器支持具の下方斜視図である。
【図３】チューブ容器支持具の正面図である。
【図４】チューブ容器支持具の左側面図である。
【図５】チューブ容器支持具の平面図である。
【図６】チューブ容器支持具の底面図である。
【図７】図５におけるＡ−Ａ断面図である。
【図８】図５におけるＢ−Ｂ断面図である。
【図９】チューブ容器支持具の展開図である。
【図１０】図９の要部説明図である。
【図１１】底部を示す平面図である。
【図１２】包装箱の上方斜視図である。
【図１３】包装箱の展開図である。
【図１４】折畳み状態のチューブ容器支持具の平面図である。
【図１５】折畳み状態のチューブ容器支持具の底面図である。
【図１６】チューブ容器支持具の組立て工程を示す説明図である。
【図１７】チューブ容器支持具の組立て工程を示す平面図である。
【図１８】チューブ容器支持具の組立て工程を示す平面図である。
【図１９】チューブ容器支持具の組立て工程を示す平面図である。
【図２０】チューブ容器支持具の使用状態を示す斜視図である。
【図２１】チューブ容器支持具の使用状態を示す斜視図である。
【図２２】チューブ容器支持具の使用状態を示す斜視図である。
【図２３】チューブ容器支持具の使用状態を示す斜視図である。
【図２４】図２３のＣ−Ｃ断面図である。
【考案を実施するための形態】
【００２２】
本考案においては、１枚のシート状ブランクにより形成されたチューブ容器支持具で、チューブ容器が傾いて倒れようとした場合でも、チューブ容器が倒れる頻度を小さくすることができるチューブ容器支持具を提供するという目的を以下のようにして実現した。
【００２３】
本考案に基づくチューブ容器支持具（以下「支持具」とする）５は、図１〜図１１に示すように構成され、底部１０と、底部１０から連設され底部１０に対して立設した傾斜板部２０、３０と、傾斜板部２０から連設され傾斜板部２０に対して折り返されて接着された接着板部４０と、傾斜板部３０から連設され傾斜板部３０に対して折り返されて接着された接着板部５０と、接着板部４０から連設され底部１０に係止して立設する脚部６０と、接着板部５０から連設され底部１０に係止して立設する脚部７０とを有している。支持具５は、展開状態では、図９に示すように、１枚のシート状のブランク（具体的には段ボール（特に、両面段ボール）により形成されている。なお、以下における切込みは、当然ブランクの一方の面から他方の面まで貫通しているものである。
【００２４】
なお、支持具５と後述する包装箱１００により、チューブ容器支持包装具が構成される。
【００２５】
ここで、底部１０は、支持具５の底部を構成し、帯状の底部本体部１２と、底部本体部１２の一方の長手辺に沿って突出して形成された突状部（正面側突状部）１４−１〜１４−６と、底部本体部１２の他方の長手辺に沿って突出して形成された突状部（背面側突状部）１６−１〜１６−６とを有している。
【００２６】
底部１０は、傾斜板部２０、３０を立設させた際に、底面位置に水平板状となっている部分であり、底部本体部１２は、両側に突出した部分（つまり、突状部１４−１〜１４−６及び突状部１６−１〜１６−６の部分）以外の部分である。つまり、底部本体部１２は、左右方向（つまり、支持される複数のチューブ容器の配設方向）（Ｘ１−Ｘ２方向）に伸びた帯状を呈し、底部本体部１２の幅（前後方向（Ｙ１−Ｙ２方向）の幅）は、底部本体部１２の左右方向の端部から内側にいくほど広く形成されている。つまり、底部本体部１２は、その一対の長手辺が外側に膨出した円弧状（略円弧状としてもよい）を呈した形状となっている。これにより、切欠部２２−１〜２２−６と切欠部３２−１〜３２−６における互いに対向する一対の切欠部により構成される６つのチューブ容器支持部において、外側（左右方向における端部側）に位置するチューブ容器支持部ほど一対の切欠部間の間隔が短くなるので、その分、チューブ容器のキャップとの嵌合力が強くなり、支持されたチューブ容器が倒れてしまうのを防止することができる。これは、支持されているチューブ容器を取り出していくに従い、端部位置のチューブ容器のみとなった場合（例えば、切欠部２２−１と切欠部３２−１により構成されるチューブ容器支持部のみにチューブ容器が支持されている場合や、切欠部２２−６と切欠部３２−６により構成されるチューブ容器支持部のみにチューブ容器が支持されている場合）に、チューブ容器の重みにより支持具５が傾いてしまった場合でも、チューブ容器のキャップがチューブ容器支持部に強く嵌合されているので、チューブ容器がチューブ容器支持部から外れて倒れるのを防止することができる。
【００２７】
また、突状部１４−１〜１４−６は、いずれも略方形状を呈し、突状部１４−１は、突状部１４−６と対称に形成され、突状部１４−２〜１４−５は同一の構成であるので、突状部１４−１と突状部１４−２を例にとって説明する。なお、突状部１４−１〜突状部１４−６により正面側突状部群が構成される。
【００２８】
突状部１４−１は、底部本体部１２から形成された辺部１４ａと、底部本体部１２から形成され、辺部１４ａとは左右方向（底部本体部１２の中心線（仮想中心線）Ｊの方向（中心線Ｊは、展開状態の底部本体部１２の中心線（前後方向において中心を通る線）と同じである））に間隔を介した位置から形成された辺部１４ｂと、辺部１４ａの先端と辺部１４ｂの先端を結び中心線Ｊと略平行な辺部１４ｃに囲まれて形成され、辺部１４ｂには、突部６４が係止するための溝部（係止溝としてもよい）ｍ１が形成されている。
【００２９】
また、突状部１４−２は、底部本体部１２から形成された辺部１４ｄと、底部本体部１２から形成され、辺部１４ｄとは左右方向に間隔を介した位置から形成され、辺部１４ｄと左右対称に形成された辺部１４ｅと、辺部１４ｄの先端と辺部１４ｅの先端を結び中心線Ｊと略平行な辺部１４ｆに囲まれて形成され、辺部１４ｄには、突部６４が係止するための溝部ｍ２が形成され、辺部１４ｅには、突部６４が係止するための溝部ｍ１が形成されている。溝部ｍ１、ｍ２は、いずれも略Ｖ字状を呈している。
【００３０】
突状部１４−６は、突状部１４−１と左右対称の構成であり、また、突状部１４−３〜１４−５は、突状部１４−２と同一の構成であるので、詳しい説明を省略する。
【００３１】
突状部１４−１〜１４−６は左右方向に間隔を介して形成され、左右方向に隣接する突状部間の間隔は、突部６４が互いに対向する溝部間に係止するような長さに形成されている。つまり、突状部１４−１と突状部１４−２間の間隔は、互いに対向する溝部ｍ１と溝部ｍ２間の間隔が突部６４の先端の長さと略同一に（又は長く）形成され、突状部１４−１の辺部１４ｂと突状部１４−２の辺部１４ｄ間の溝部ｍ１、ｍ２形成位置以外の長さは、突部６４の先端の長さよりも短く形成されている。また、突状部１４−２と突状部１４−３間の間隔は、溝部ｍ１（突状部１４−２の溝部ｍ１）と溝部ｍ２（突状部１４−３における溝部ｍ２に対向する溝部）間の間隔が突部６４の先端の長さと略同一に（又は長く）形成され、突状部１４−２の辺部１４ｅと突状部１４−３の辺部１４ｇ間の溝部ｍ１、ｍ２形成位置以外の長さは、突部６４の先端の長さよりも短く形成されている。突状部１４−３〜突状部１４−５における互いに隣接する突状部間の間隔についての構成は、突状部１４−２と突状部１４−３間の間隔と同じ構成であり、突状部１４−５と突状部１４−６間の間隔についての構成は、左右対称である点を除き、突状部１４−１と突状部１４−２間の間隔と同じ構成であるので、詳しい説明を省略する。突状部１４−１〜１４−６における隣接する突状部間の間隔を以上のように構成することにより、脚部６０を底部１０の突状部１４−１〜１４−６の形成領域に突部６４を突状部１４−１〜１４−６に接しながら前後方向にスライドさせると、突状部１４−１〜１４−６における互いに対向する溝部に係止するようになっている。
【００３２】
突状部１４−１〜１４−６において互いに対向する一対の溝部（すなわち、互いに対向する溝部ｍ１と溝部ｍ２）が突部６４と係合する係止部Ｍを構成する。
【００３３】
突状部１６−１〜１６−６は、突状部１４−１〜１４−６と中心線Ｊを介して対称に形成されている以外は同様の構成であるので詳しい説明を省略する。すなわち、突状部１６−１は突状部１４−１と対称に形成され、突状部１６−２は突状部１４−２と対称に形成され、突状部１６−３は突状部１４−３と対称に形成され、突状部１６−４は突状部１４−４と対称に形成され、突状部１６−５は突状部１４−５と対称に形成され、突状部１６−６は突状部１４−６と対称に形成されている。つまり、突状部１６−１と突状部１６−６は左右対称に形成され、突状部１６−２〜１６−５は同様の構成となっている。突状部１６−１〜１６−６において互いに対向する一対の溝部（すなわち、互いに対向する溝部ｍ１と溝部ｍ２）が突部７４と係合する係止部を構成する。なお、突状部１６−１〜突状部１６−６により背面側突状部群が構成される。
【００３４】
次に、傾斜板部（正面側傾斜板部）２０は、底部本体部１２の正面側の辺部で突状部１４−１〜１４−６が連設されていない辺部から折れ線を介して連設され、全体に長方形状の下端領域に切欠部２２−１〜２２−６を形成した形状を呈している。つまり、傾斜板部２０の底面１０側以外の三方は、中心線Ｊと平行な辺部２０−２と、辺部２０−２と直角の辺部２０−１、２０−３により形成されている。
【００３５】
切欠部２２−１〜２２−６は、対応する突状部と同大同形状を呈し、切欠部２２−１は突状部１４−１に対応し、切欠部２２−２は突状部１４−２に対応し、切欠部２２−３は突状部１４−３に対応し、切欠部２２−４は突状部１４−４に対応し、切欠部２２−５は突状部１４−５に対応し、切欠部２２−６は突状部１４−６に対応している。すなわち、支持具５の展開状態（図９に示す状態）及び支持具５を組み立てる前の折畳み状態（図１４に示す状態）では、突状部１４−１〜１４−６は、各突状部に沿って形成された切込みを介して、傾斜板部２０と隣接していることから、切欠部２２−１〜２２−６は、対応する突状部と同大同形状を呈している。
【００３６】
切欠部２２−１〜２２−６における各切欠部には、組立て状態の支持具５にチューブ容器を支持させた場合に、チューブ容器（特に、チューブ容器のキャップ）が嵌合するようになっている。
【００３７】
また、傾斜板部２０の切欠部２２−１〜２２−６における各切欠部の底部本体部１２側とは反対側には、フラップ部２３が連設されている。すなわち、フラップ部２３は、各切欠部の底部本体部１２と反対側の端部から一対の切込み２４を形成することにより形成されている。各一対の切込み２４は、いずれも同様の構成であり、正面視において左側に形成された左側切込み２４ａと、正面視において右側に形成された右側切込み２４ｂとからなり、左側切込み２４ａと右側切込み２４ｂとは左右対称に形成され、左側切込み２４ａと右側切込み２４ｂは、ともに、切欠部２２−１〜２２−６の各切欠部から連設され、辺部２０−１、２０−３に対して傾斜した傾斜切込みと、傾斜切込みの先端から辺部２０−１、２０−３と平行な縦切込みとを有している。つまり、切込み２４は、切欠部２２−１〜２２−６の各切欠部から連設され、該切欠部から遠ざかるほど間隔が小さくなるように傾斜してテーパ状に形成されたテーパ状部２４−１と、互いに平行に左右方向に対して直角方向に形成された平行状部２４−２とを有している。つまり、一対の切込み２４の少なくとも一部が辺部２０−２に近づくに従い間隔が小さくなるテーパ状を呈している。
【００３８】
なお、支持具５の展開状態（図９に示す状態）及び支持具５を組み立てる前の折畳み状態（図１３に示す状態）では、切込み２４は、突状部１４−１〜１４−６と傾斜板部２０を区画する切込みから連設されている。切込み２４の辺部２０−２側の端部と辺部２０−２間の長さｈ４は、接着板部４０との接着領域を確保するために、接着板部４０の縦方向の長さ（傾斜板部２０側の辺部と脚部６０側の辺部間の長さ）ｈ２以上の長さに形成されている。
【００３９】
このフラップ部２３は、組立て状態の支持具５にチューブ容器を支持させた場合に、一対の切込み２４で挟まれた領域（つまり、フラップ部２３の領域）にチューブ容器が入り込んで、切込み２４における底部本体部１２とは反対側の端部間を結ぶ折れ線を中心に外側に回動する。
【００４０】
また、傾斜板部（背面側傾斜板部）３０は、傾斜板部２０と同様の構成となっており、支持具５の展開状態（図９に示す状態）及び支持具５を組み立てる前の折畳み状態（図１４に示す状態）では、中心線Ｊを介して対称に形成されている。すなわち、傾斜板部３０は、底部本体部１２の背面側の辺部で突状部１６−１〜１６−６が連設されていない辺部から折れ線を介して連設され、全体に長方形状の下端領域に切欠部３２−１〜３２−６を形成した形状を呈している。つまり、傾斜板部３０の底面１０側以外の三方は、中心線Ｊと平行な辺部３０−２と、辺部３０−２と直角の辺部３０−１、３０−３により形成されている。
【００４１】
切欠部３２−１〜３２−６は、対応する突状部と同大同形状を呈し、切欠部３２−１は突状部１６−１に対応し、切欠部３２−２は突状部１６−２に対応し、切欠部３２−３は突状部１６−３に対応し、切欠部３２−４は突状部１６−４に対応し、切欠部３２−５は突状部１６−５に対応し、切欠部３２−６は突状部１６−６に対応している。すなわち、展開状態（図９に示す状態）及び支持具５を組み立てる前の折畳み状態（図１４に示す状態）では、突状部１６−１〜１６−６は、各突状部に沿って形成された切込みを介して、傾斜板部３０と隣接していることから、切欠部３２−１〜３２−６は、対応する突状部と同大同形状を呈している。
【００４２】
切欠部３２−１〜３２−６における各切欠部には、組立て状態の支持具５にチューブ容器を支持させた場合に、チューブ容器（特に、チューブ容器のキャップ）が嵌合するようになっている。
【００４３】
また、傾斜板部３０の切欠部３２−１〜３２−６における各切欠部の底部本体部１２側とは反対側には、フラップ部３３が連設されている。すなわち、フラップ部３３は、各切欠部の底部本体部１２と反対側の端部から一対の切込み３４を形成することにより形成されている。各一対の切込み３４は、いずれも同様の構成であり、正面視において左側に形成された左側切込み３４ａと、正面視において右側に形成された右側切込み３４ｂとからなり、左側切込み３４ａと右側切込み３４ｂとは左右対称に形成され、左側切込み３４ａと右側切込み３４ｂは、ともに、切欠部３２−１〜３２−６の各切欠部から連設され、辺部３０−１、３０−３に対して傾斜した傾斜切込みと、傾斜切込みの先端から辺部３０−１、３０−３と平行な縦切込みとを有している。つまり、切込み３４は、切欠部３２−１〜３２−６の各切欠部から連設され、該切欠部から遠ざかるほど間隔が小さくなるように傾斜してテーパ状に形成されたテーパ状部３４−１と、互いに平行に左右方向に対して直角方向に形成された平行状部３４−２とを有している。つまり、一対の切込み３４の少なくとも一部が辺部３０−２に近づくに従い間隔が小さくなるテーパ状を呈している。
【００４４】
なお、支持具５の展開状態（図９に示す状態）及び支持具５を組み立てる前の折畳み状態（図１４に示す状態）では、切込み３４は、突状部１６−１〜１６−６と傾斜板部３０を区画する切込みから連設されている。切込み３４の辺部３０−２側の端部と辺部３０−２間の長さは、接着板部５０との接着領域を確保するために、接着板部５０の縦方向の長さ（傾斜板部３０側の辺部と脚部７０側の辺部間の長さ）以上の長さに形成されている。
【００４５】
このフラップ部３３は、組立て状態の支持具５にチューブ容器を支持させた場合に、一対の切込み３４で挟まれた領域（つまり、フラップ部３３の領域）にチューブ容器が入り込んで、切込み３４における底部本体部１２とは反対側の端部間を結ぶ折れ線を中心に外側に回動する。
【００４６】
なお、上記の例では、支持具５の展開状態（図９に示す状態）及び支持具５を組み立てる前の折畳み状態（図１４に示す状態）では、底部本体部１２と傾斜板部２０間及び底部本体部１２と傾斜板部３０間には折れ線となる罫線が形成されているが、該罫線は形成されていないものとし、傾斜板部２０を突状部１４−１〜１４−６の基端位置を中心に回動させて立設させることにより、傾斜板部２０が底部本体部１２に対して折曲して傾斜板部２０と底部本体部１２間の折れ線が形成され、傾斜板部３０を突状部１６−１〜１６−６の基端位置を中心に回動させて立設させることにより、傾斜板部３０が底部本体部１２に対して折曲して傾斜板部３０と底部本体部１２間の折れ線が形成されるようにしてもよい。
【００４７】
また、接着板部（正面側接着板部）４０は、傾斜板部２０の底部本体部１２とは反対側の辺部（第１辺部）２０−２から折れ線を介して連設され、台形形状を呈している。すなわち、接着板部４０は、傾斜板部２０から先端側（底部本体部１２側とは反対側）にいくほど幅狭となる台形形状を呈してる。この接着板部４０は、傾斜板部２０に対して外側に折り返されて、傾斜板部２０に接着されている。
【００４８】
また、接着板部（背面側接着板部）５０は、傾斜板部３０の底部本体部１２とは反対側の辺部（第２辺部）３０−２から折れ線を介して連設され、台形形状を呈している。すなわち、接着板部５０は、傾斜板部３０から先端側（底部本体部１２側とは反対側）にいくほど幅狭となる台形形状を呈してる。この接着板部５０は、傾斜板部３０に対して外側に折り返されて、傾斜板部３０に接着されている。接着板部５０は、展開状態（図９に示す状態）及び支持具５を組み立てる前の折畳み状態（図１４に示す状態）では、接着板部４０と中心線Ｊを介して対称に形成されている。
【００４９】
また、脚部（正面側脚部）６０は、接着板部４０の傾斜板部２０とは反対側の辺部（第３辺部）４０−１から折れ線を介して連設され、略長方形状の先端側に複数の突部を形成した形状を呈している。つまり、脚部６０は、略長方形状（先端側の両側の角部にアールを形成した長方形状）を呈する脚部本体６２と、脚部本体６２における接着板部４０とは反対側の辺部から突出して形成された突部６４とを有している。突部６４は、突状部１４−１〜１４−６における各係止部に対応して設けられ、左右方向には、該係止部と同じ位置に設けられている。
【００５０】
また、脚部（背面側脚部）７０は、接着板部５０の傾斜板部３０とは反対側の辺部（第４辺部）から折れ線を介して連設され、略長方形状の先端側に複数の突部を形成した形状を呈している。つまり、脚部７０は、略長方形状（先端側の両側の角部にアールを形成した長方形状）を呈する脚部本体７２と、脚部本体７２における接着板部５０とは反対側の辺部から突出して形成された突部７４とを有している。突部７４は、突状部１６−１〜１６−６における各係止部に対応して設けられ、左右方向には、該係止部と同じ位置に設けられている。脚部７０は、展開状態（図９に示す状態）及び支持具５を組み立てる前の折畳み状態（図１４に示す状態）では、脚部６０と中心線Ｊを介して対称に形成されている。
【００５１】
なお、傾斜板部２０の縦方向の長さ（底部本体部１２側から接着板部４０側までの長さ）ｈ１と、接着板部４０の縦方向の長さｈ２と、脚部本体６２の縦方向の長さｈ３とは、突部６４を係止部に係止させて支持具５を組み立てた状態で、傾斜板部２０が鉛直方向に対して上端が外側（正面側）となるように傾斜し、脚部６０が鉛直方向に対して上端が内側（背面側）となるように傾斜する（例えば、支持具５を組み立てた状態で、傾斜板部２０の背面側の面と底部１０の上面とがなす角度が鈍角になるのに対して、脚部６０の背面側の面と底部１０の上面とがなす角度が鋭角となる）ような長さに形成されている。
【００５２】
また、傾斜板部３０の縦方向の長さ（底部本体部１２側から接着板部５０側までの長さ）ｈ１１と、接着板部５０の縦方向の長さｈ１２と、脚部本体７２の縦方向の長さｈ１３とは、突部７４を係止部に係止させて支持具５を組み立てた状態で、傾斜板部３０が鉛直方向に対して上端が外側（背面側）となるように傾斜し、脚部７０が鉛直方向に対して上端が内側（正面側）となるように傾斜する（例えば、支持具５を組み立てた状態で、傾斜板部３０の正面側の面と底部１０の上面とがなす角度が鈍角になるのに対して、脚部７０の正面側の面と底部１０の上面とがなす角度が鋭角となる）ような長さに形成されている。
【００５３】
なお、組立て状態の支持具５においては、傾斜板部２０と傾斜板部３０において互いに対向する切欠部がチューブ容器のキャップを配置してチューブ容器を支持するチューブ容器支持部を構成する。つまり、切欠部２２−１と切欠部３２−１とがチューブ容器支持部を構成し、切欠部２２−２と切欠部３２−２とがチューブ容器支持部を構成し、切欠部２２−３と切欠部３２−３とがチューブ容器支持部を構成し、切欠部２２−４と切欠部３２−４とがチューブ容器支持部を構成し、切欠部２２−５と切欠部３２−５とがチューブ容器支持部を構成し、切欠部２２−６と切欠部３２−６とがチューブ容器支持部を構成する。
【００５４】
なお、支持具５の展開状態（図９参照）においては、支持具５は、中心線Ｊを介して対称に形成されているとともに、該中心線Ｊと直角な方向の中心線（左右方向における中心位置を通る中心線）を介しても対称に形成されている。
【００５５】
支持具５を折り畳んだ状態では、底部１０と傾斜板部２０、３０とにより１つの平板状（長方形状の平板状）を呈し、脚部６０は、接着板部４０とともに１枚の平板状を呈し、脚部７０は、接着板部５０とともに１枚の平板状を呈していて、脚部６０、７０は、底部１０と傾斜板部２０、３０を構成する１枚のシート状のブランクの裏面に接している。
【００５６】
次に、支持具５を収納する包装箱について説明する。包装箱１００は、正面部１１０と、右側面部１２０と、左側面部１３０と、背面部１４０と、糊代部１４２と、底面部１５０と、フラップ部２００、２０２と、上面部２１０と、先端部２１２とを有している。
【００５７】
ここで、正面部１１０は、方形状の上端に円弧状の切欠きを形成した形状を呈し、その上端から下端に向けて一対の破断線（切断予定線）１１０ａ、１１０ｂが形成されている。破断線１１０ｂ（一方の破断線）の下端位置が正面部１１０と右側面部１２０の境界の下端であり、破断線１１０ａ（他方の破断線）の下端位置は正面部１１０と左側面部１３０の境界の下端となっている。
【００５８】
また、右側面部１２０は、正面部１１０の右側面側の辺部から折れ線を介して連設され、縦長長方形状を呈している。また、左側面部１３０は、正面部１１０の左側面側の辺部から折れ線を介して連設され、縦長長方形状を呈している。また、背面部１４０は、左側面部１３０の正面部１１０とは反対側の辺部から折れ線を介して連設され、方形状を呈している。また、糊代部１４２は、背面部１４０の左側面部１３０とは反対側の辺部から折れ線を介して連設され、台形形状を呈している。この糊代部１４２は、右側面部１２０の内側の面に接着されている。
【００５９】
また、底面部１５０は、第１片部１６０と、第２片部１７０と、第３片部１８０と、第４片部１９０とを有し、包装箱１００の組立て状態においては、略方形状の外形を呈している。
【００６０】
ここで、第１片部１６０は、左側面部１３０の下端から折れ線を介して連設され、先端側にいくほど幅狭となる略台形形状に形成され、その上面の一部が包装箱１００の内底面の一部を形成している。この第１片部１６０は、底面部１５０の組立て状態においては、第４片部１９０と点対称に形成されている。
【００６１】
また、第２片部１７０は、正面部１１０の下端から折れ線を介して連設され、略長方形状に形成され、第２片部１７０の上面の一部が包装箱１００の内底面の一部を形成している。また、第２片部１７０の角部（正面部１１０と右側面部１２０の境界位置の角部）からは第２片部１７０の正面部１１０との境界をなす辺部に対して斜めに折れ線１７０−１（この折れ線１７０−１は、上面側が山折れ線となっている）が形成されている。第２片部１７０は、折れ線１７０−１を介して本体部１７２と先端部１７４とに区画される。本体部１７２の先端の先端部１７４側には、他方の本体部１８２と互いに係止するように切欠部１７２ａが形成されている。先端部１７４の上面は、第４片部１９０の下面に接着されている。
【００６２】
また、第３片部１８０は、背面部１４０の下端から折れ線を介して連設され、底面部１５０の組立て状態においては、第２片部１７０と点対称に形成されている。すなわち、第３片部１８０は、背面部１４０の下端から折れ線を介して連設され、略長方形状に形成され、第３片部１８０の上面の一部が包装箱１００の内底面の一部を形成している。また、第３片部１８０の角部（背面部１４０と左側面部１３０の境界位置の角部）からは第３片部１８０の側面部１３０との境界をなす辺部に対して斜めに折れ線１８０−１（この折れ線１８０−１は、上面側が山折れ線となっている）が形成されている。第３片部１８０は、折れ線１８０−１を介して本体部１８２と先端部１８４とに区画される。本体部１８２の先端の先端部１８４側には、他方の本体部１７２と互いに係止するように切欠部１８２ａが形成されている。先端部１８４の上面は、第１片部１６０の下面に接着されている。
【００６３】
また、第４片部１９０は、右側面部１２０の下端から折れ線を介して連設され、先端側にいくほど幅狭となる略台形形状に形成され、その上面の一部が包装箱１００の内底面の一部を形成している。
【００６４】
また、フラップ部２００は、右側面部１２０の上辺から折れ線を介して連設されており、略台形形状を呈している。また、フラップ部２０２は、左側面部１３０の上辺から折れ線を介して連設されており、略台形形状を呈している。
【００６５】
また、上面部２１０は、背面部１４０の上辺から折れ線を介して連設され、長方形状を呈している。また、先端部２１２は、上面部２１０の先端から折れ線を介して連設され、横長長方形状の先端側の角部を斜めに欠切した形状を呈している。
【００６６】
この包装箱１００は、組立て状態の支持具５を収納可能な大きさに形成され、正面部１１０や背面部１４０の横方向の長さは、組立て状態の支持具５の左右方向の長さＬ１（図５参照）と同一又は若干大きく形成され、また、右側面部１２０と左側面部１３０の横方向の長さは、組立て状態の支持具５の前後方向の長さＬ２（図５参照）と同一又は若干大きく形成されている。また、包装箱１００の高さは、組立て状態の支持具５にチューブ容器を支持した状態の底部１０の底面からチューブ容器の上端までの高さと同一又は若干大きく形成されており、チューブ容器を支持具５に支持させた状態では、チューブ容器の上端は、支持具５の上端よりも高いので、当然、包装箱１００の高さは、組立て状態の支持具５の高さ方向（Ｚ１−Ｚ２方向）の長さＬ３（図４参照）よりも長く形成されている。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００６７】
上記構成の支持具５と包装箱１００の使用状態について説明する。まず、折り畳んだ状態の支持具５（図１４、図１５参照）を組み立てる。すなわち、まず、図１６に示すように、折畳み状態の支持具５の裏面を上面にした状態で、脚部６０を接着板部４０に対して折り曲げて脚部を立設させるとともに、脚部７０を接着板部５０に対して折り曲げて脚部７０を立設させた状態とする。
【００６８】
その後、図１７に示すように、脚部６０、７０側を下側にした状態で（つまり、上側と下側とをひっくり返す）、図１８に示すように、傾斜板部２０と傾斜板部３０を底面本体部１２に対して起き上がらせる。つまり、傾斜板部２０と傾斜板部３０を底面本体部１２に対して折曲させて、傾斜板部２０と傾斜板部３０の外側の端部を上方に回動させる。
【００６９】
その後、両手で接着板部４０と接着板部５０をつまむようにして、図１９に示すように、傾斜板部２０と傾斜板部３０を接した状態とし（傾斜板部２０と傾斜板部３０を単に近づけた状態としてもよい）ながら、脚部６０を突部６４を突状部１４−１〜１４−６の先端から上面に接するようにして滑らせる（つまり、中心線Ｊと直角方向に滑らせる）とともに、脚部７０を突部７４を突状部１６−１〜１６−６の先端から上面に接するようにして滑らせる（つまり、中心線Ｊと直角方向に滑らせる）ことにより、突部６４が突状部１４−１〜１４−６の対応する係止部に係止し、突部７４が突状部１６−１〜１６−６の対応する係止部に係止する。
【００７０】
以上のように、突部６４を突状部１４−１〜１４−６の係止部に係止させ、突部７４を突状部１６−１〜１６−６の係止部に係止させることにより支持具５が組み立てられる。
【００７１】
支持具５を組み立てたら、図２０に示すように、組立て状態の支持具５を包装箱１００内に収納し、その後、チューブ容器ＧをキャップＧａを下側にして支持具５に支持させる。つまり、図２１に示すように、チューブ容器を包装箱１００の上方から入れて、チューブ容器ＧのキャップＧａを傾斜板部２０と傾斜板部３０における互いに対向する一対の切欠部の位置に上方から差し込み、該一対の切欠部により構成されるチューブ容器支持部に支持させる。支持具５を組立て状態では、傾斜板部２０の上端が下端よりも正面側であり、傾斜板部３０の上端が下端よりも背面側であり、傾斜板部２０と傾斜板部３０とは側面視（右側面視や左側面視）において上側になるほど傾斜板部２０と傾斜板部３０間の間隔が幅広となるテーパ状となるため、チューブ容器を上方から傾斜板部２０と傾斜板部３０間に入れやすい。チューブ容器Ｇをチューブ容器支持部に支持させた状態では、チューブ容器に押されてフラップ部２３、３３が外側に回動した状態となる。なお、チューブ容器Ｇを支持具５に支持させる際には、１本ずつ支持させてもよいし、複数本（例えば、２本又は３本）ずつ支持させてもよい。
【００７２】
以上のようにして、６つのチューブ容器支持部にチューブ容器を支持させたら、上面部２１０を閉状態となるように背面部１４０に対して回動させ、先端部２１２を正面部１１０の上端の内側に差し込むことにより、包装箱１００を包装状態とする。
【００７３】
なお、予め支持具５にチューブ容器を支持させて、チューブ容器を支持した状態の支持具５を包装箱１００に収納するようにしてもよい。
【００７４】
その後、チューブ容器を収納した包装箱１００をチューブ容器の陳列場所に運び、チューブ容器を支持した状態の支持具５を陳列する。
【００７５】
すなわち、図２２に示すように、正面部１１０の破断線１１０ａ、１１０ｂを破断するとともに、正面部１１０を構成する３つの片部１１０−１、１１０−２、１１０−３を手前に開いた状態として、チューブ容器を支持した状態の支持具５を包装箱１００から引き出す。片部１１０−１は、正面部における一対の破断線１１０ａ、１１０ｂで挟まれた領域であり、片部１１０−２は、破断線１１０ｂと右側面部１２０間の領域であり、片部１１０−３は、破断線１１０ｃと左側面部１３０間の領域である。
【００７６】
以上のように、一対の破断線１１０ａ、１１０ｂを破断して、３つの片部を正面側に回動させるのみで、容易にチューブ容器を支持した支持具５を引き出すことができる。
【００７７】
チューブ容器を支持した状態の支持具５は図２３に示す状態となっていて、例えば、チューブ容器Ｇ１の位置における断面は、図２４に示すようになる。つまり、傾斜板部２０の切欠部２２−６と傾斜板部３０の切欠部３２−６に嵌合するとともに、傾斜板部２０の切込み２４に沿った辺部と傾斜板部３０の切込み３４に沿った辺部（特に、切込み２４におけるテーパ状部２４−１に沿った辺部と切込み３４におけるテーパ状部３４−１に沿った辺部）がチューブ容器に接して、これらの辺部によってもチューブ容器が支持される。
【００７８】
支持具５に支持されたチューブ容器を取り出す場合には、チューブ容器を上方に引き出すことにより、チューブ容器を取り出すことができる。
【００７９】
本実施例の支持具５においては、組立て状態で、チューブ容器支持具を支持具５に支持させた状態では、キャップがチューブ容器支持部（つまり、一対の切欠部）に嵌合するので、チューブ容器は容易には倒れることがないが、チューブ容器や支持具５に外力が加わる等により、チューブ容器が倒れようとした場合でも、傾斜板部２０、３０が上方に立設し、特に、切欠部２２−１〜２２−６、３２−１〜３２−６よりも上方に伸びているので、傾斜板部２０、３０によりチューブ容器が支持されるので、チューブ容器が倒れる頻度を少なくすることができる。つまり、チューブ容器が傾斜板部２０や傾斜板部３０の方向に倒れようとする場合には、傾斜板部２０や傾斜板部３０に支えられてチューブ容器が倒れるのを防止することができる。なお、傾斜板部２０、３０の方向以外の方向に倒れようとした場合でも、隣接する位置にチューブ容器が存在する場合には、そのチューブ容器に支えられてチューブ容器が倒れるのを防止することができる。
【００８０】
また、チューブ容器をチューブ容器支持部に支持させた状態では、チューブ容器に押されてフラップ部２３、３３が外側に回動した状態となり、フラップ部２３、３３と傾斜板部２０、３０における切込み２４、３４に沿った辺部がチューブ容器に接してチューブ容器を支持するので、チューブ容器が容易に倒れないようにすることができる。
【符号の説明】
【００８１】
５  チューブ容器支持具
１０  底部
１２  底部本体部
１４−１〜１４−６、１６−１〜１６−６  突状部
ｍ１、ｍ２  溝部
Ｍ  係止部
２０、３０  傾斜板部
２２−１〜２２−６、３２−１〜３２−６  切欠部
２３、３３  フラップ部
２０−１、２０−２、２０−３、３０−１、３０−２、３０−３、４０−１、５０−１  辺部
２４、３４  一対の切込み
４０、５０  接着板部
６０、７０  脚部
６２、７２  脚部本体
６４、７４  突部
１００  包装箱
１１０  正面部
１２０  右側面部
１３０  左側面部
１４０  背面部
１４２  糊代部
１５０  底面部
２１０  上面部
Ｊ  中心線
【図１】
0003179163.tif 000003
【図２】
0003179163.tif 000004
【図３】
0003179163.tif 000005
【図４】
0003179163.tif 000006
【図５】
0003179163.tif 000007
【図６】
0003179163.tif 000008
【図７】
0003179163.tif 000009
【図８】
0003179163.tif 000010
【図９】
0003179163.tif 000011
【図１０】
0003179163.tif 000012
【図１１】
0003179163.tif 000013
【図１２】
0003179163.tif 000014
【図１３】
0003179163.tif 000015
【図１４】
0003179163.tif 000016
【図１５】
0003179163.tif 000017
【図１６】
0003179163.tif 000018
【図１７】
0003179163.tif 000019
【図１８】
0003179163.tif 000020
【図１９】
0003179163.tif 000021
【図２０】
0003179163.tif 000022
【図２１】
0003179163.tif 000023
【図２２】
0003179163.tif 000024
【図２３】
0003179163.tif 000025
【図２４】
0003179163.tif 000026